(57)【要約】【課題】基礎が不要で、迅速かつ低廉に構築可能でありながら、台風等の強い風雨に十分に耐えることができる堅牢な閉鎖型養殖施設を提供するものである。【解決手段】本発明に係る閉鎖型養殖施設は、複数の鋼管により形成された骨組みを有するビニールハウスと、上記ビニールハウス内に設置された水棲生物を飼育するための養殖用プールと、上記ビニールハウス内に設置され上記養殖用プールと水交換可能な浄化槽とを備え、上記複数の鋼管により形成された骨組みと上記浄化槽が固定されたことを特徴とするものである。【選択図】図１
2020124137.tif 000002
【特許請求の範囲】
【請求項１】
複数の鋼管により形成された骨組みを有するビニールハウスと、
上記ビニールハウス内に設置された水棲生物を飼育するための養殖用プールと、
上記ビニールハウス内に設置され上記養殖用プールと水交換可能な浄化槽と、
を備え、
上記複数の鋼管により形成された骨組みと上記浄化槽が固定された
ことを特徴とする閉鎖型養殖施設。
【請求項２】
上記ビニールハウス内に設置され上記養殖用プールと水交換可能な複数の浄化槽を備え、
上記複数の浄化槽は上記ビニールハウスの外周近傍に配置され、上記複数の鋼管により形成された骨組みと上記複数の浄化槽それぞれが固定された
ことを特徴とする請求項１に記載の閉鎖型養殖施設。
【発明の詳細な説明】
【技術分野】
【０００１】
本発明は、浄化システムを有する養殖プール、およびそれに適したビニールハウスで構成される閉鎖型養殖施設に関する。
【背景技術】
【０００２】
魚類等水棲生物の養殖は近年盛んに行われ、海の沿岸域や淡水の湖沼などに様々な施設が作られている。また、養殖技術の進歩により、内陸部で育てる閉鎖型の陸上養殖も可能になっている。閉鎖型の陸上養殖においては、ビニールハウス等の簡易な建築物内に養殖用プールを設置している（例えば、特許文献１）。多くの水棲生物は水温変化に対して脆弱であり、ビニールハウス等の簡易な建築物内で温度管理されている。
【０００３】
閉鎖型の陸上養殖におけるもう一つの課題は水質管理である。水棲生物の排泄物や餌の腐敗により水質が劣化するため、それを防止することが必要である。水質の劣化とは、具体的には有害なアンモニアや硝酸の濃度が高くなることであり、それを防ぐために、頻繁な水の交換が必要となる。
【０００４】
昨今においては、水の浄化技術が進み、長期間に渡って水を交換することなく、アンモニアや硝酸濃度を低下させるシステムも提案されている。好気性細菌と嫌気性細菌を用いて、還元、脱窒を行うことで、水棲生物にとって健全な環境を維持することができる（例えば、特許文献１  図６）。
【先行技術文献】
【特許文献】
【０００５】
【特許文献１】特開平２０１２−１６５７２７
【特許文献２】特開２０１６−１９８０５８
【発明の概要】
【発明が解決しようとする課題】
【０００６】
特許文献２の図６等に開示されているように、水棲生物を飼育する水槽と浄化槽とを配管で連結することで、長期間に渡り、水を変えることなく、水質を良好に保つことができる。このことは特に養殖においては重要であり、水棲生物の健全な成長を促し、水質管理コストや排水コストの削減が可能である。
【０００７】
温度管理の観点においては、養殖プールを室内に設置することが必要である。ただし、建築コストの低減のため、低廉なビニールハウスが広く用いられている。あるいは、遊休農地を利用する際には、農地法により基礎の構築ができないため、ビニールハウスが必然的に用いられている。
【０００８】
しかし、近年の異常気象により、ビニールハウスが倒壊することが頻繁に起こっている。多くの水棲生物は水温変化に対して脆弱であり、ビニールハウスが倒壊にまで至らなくても、外気が大量に導入されるだけで、壊滅的な被害を受ける場合がある。
【０００９】
本発明は上記の課題を解決するためになされたものであり、基礎が不要で、迅速かつ低廉に構築可能でありながら、台風等の強い風雨に十分に耐えることができる堅牢な閉鎖型養殖施設を提供するものである。
【課題を解決するための手段】
【００１０】
本発明に係る閉鎖型養殖施設は、
複数の鋼管により形成された骨組みを有するビニールハウスと、
上記ビニールハウス内に設置された水棲生物を飼育するための養殖用プールと、
上記ビニールハウス内に設置され上記養殖用プールと水交換可能な浄化槽と、
を備え、
上記複数の鋼管により形成された骨組みと上記浄化槽が固定された
ことを特徴とするものである。
【００１１】
また、本発明に係る閉鎖型養殖施設は、
上記ビニールハウス内に設置され上記養殖用プールと水交換可能な複数の浄化槽を備え、
上記複数の浄化槽は上記ビニールハウスの外周近傍に配置され、上記複数の鋼管により形成された骨組みと上記複数の浄化槽それぞれが固定された
ことを特徴とするものである。
【発明の効果】
【００１２】
本発明に係る閉鎖型養殖施設は、上記のように構成されているので、以下の優れた特長を有する。
第一に、浄化槽を有することで、養殖用プールの水質を長期間に渡り良好に保つことができる。
第二に、基礎工事が不要で迅速かつ低廉に構築可能である。
第三に、台風等の強い風雨に十分に耐えることができる。例えば、秒速５０ｍの強風にも耐えることができる。地震に対しても強靭性を示す。
【図面の簡単な説明】
【００１３】
【図１】本発明に係る閉鎖型養殖施設の正面図である。
【図２】本発明に係る閉鎖型養殖施設の側面図である。
【図３】本発明に係る閉鎖型養殖施設の内部上面図である
【発明を実施するための形態】
【００１４】
本発明に係る閉鎖型養殖施設に関して、以下において図面を用いて説明する。なお、以下の説明は本発明に関する良好な一例を開示するものであり、本発明が当該実施の形態に限定されるものではない。
【００１５】
実施の形態
以下において説明する閉鎖型養殖施設は、陸上型の養殖施設として適したものであり、例えば、遊休地を養殖施設として利用するのに適したものである。
【００１６】
＜閉鎖型養殖施設の構成＞
本発明に係る閉鎖型養殖施設の構成を図を用いて説明する。図１は、閉鎖型養殖施設の正面図であり、図２は側面図である。また、図３は閉鎖型養殖施設の内部上面図である。
本発明に係る閉鎖型養殖施設は、複数の鋼管４ａ〜４ｇ、５ａ〜５ｈにより形成された骨組みを有するビニールハウスであり、その内部に設置された水棲生物を飼育するための養殖用プール１ａ〜１ｃと、同じくビニールハウスの内部に設置され上記養殖用プールと水交換可能な浄化槽６ａ〜６ｇとを備えている。そして、上記複数の鋼管４ａ〜４ｇ、５ａ〜５ｈにより形成された骨組みと上記浄化槽６ａ〜６ｇが固定されたことを特徴とするものである。
【００１７】
本発明においてビニールハウスとは、鋼材を躯体とし合成樹脂のフィルムで外壁を被覆した、簡易の建物である。
ビニールハウスの大きさは、内部に設置する養殖プールの大きさに応じて、適宜決めれば良い。本実施の形態においては、横６ｍ、縦８ｍ、最も高い箇所の高さが４ｍのビニールハウスを構築した。
鋼材としては単管パイプ等の鋼管を用いる。本実施の形態においては、外形４８．６ｍｍ、厚み２．４ｍｍの最も一般的な単管パイプを用いている。外面全周には溶融亜鉛メッキを施してある。単管パイプ同士はジョイント金具で結合しても良いし、はめ込んでからねじ止め等でしっかりと固定しても良い。がたつきやゆるみが生じない状態で固定できれば、どのような方法で固定してもい。
【００１８】
鉛直面を構成する鋼管群４である鉛直面構成パイプ４ａ〜４ｇは、図１に示すように、家形の形状を成しており、図１の紙面奥方向に複数配置している。本実施の形態では、図２に示すように、６組の鋼管群４を配置した。鋼管群４の端部は接地面Ｇに５０ｃｍ程度挿入した。
水平方向には、水平パイプ５ａ〜５ｈを設け、図２に示すように、結合具７で鉛直面構成パイプ４ａ〜４ｇと交点を固定した。結合具７としては、単管交差クランプを用いてしっかりと固定した。なお、図１においては、図面が煩雑になるのを避けるため、結合具７の記載を省略している。結合具７としては、単管交差クランプ以外にワイヤー等で結束しても良いし、緩みなく強固に固定できる方法であれば、どのような方法でも良い。
【００１９】
浄化槽６ａ〜６ｇは、特許文献２に開示されたような細菌を用いた浄化槽であり、配管３ａ〜３ｇを介して、養殖用プール１ａ〜１ｃと水を循環し、、養殖用プール１ａ〜１ｃの水質を高品質に維持することができる。各浄化槽６ａ〜６ｇの重さは約１トンである。接地面Ｇが柔らかい場合には、重量物である浄化槽６ａ〜６ｇは接地面Ｇにめり込んでしまうことがある。そこで、接地面Ｇが柔らかい場合には、荷重分散用パレット９ａ、９ｂを設けても良い。例えば、荷重分散用パレット９ａ、９ｂとしては、厚み７ｍｍ程度の鋼板を用いることができる。
【００２０】
図３に示す養殖用プール１ａ〜１ｃと水交換可能な複数の浄化槽６ａ〜６ｇの配置は、良好な一例である。良好な配置としては、複数の浄化槽６ａ〜６ｇそれぞれが、ビニールハウスの外周近傍に配置される。このように配置することで、すべての浄化槽と鋼管により形成された骨組みとを確実且つ容易に固定することができる。例えば、図２に示すように、結合具６を用いて結合できる。結合具６としてはメタル結束バンドを用いた。
なお、図２においては、複数の浄化槽６ａ〜６ｇと水平パイプ５ａとを固定しているが、複数の浄化槽６ａ〜６ｇと鉛直面構成パイプ４ａ等とを固定しても良い。複数の浄化槽６ａ〜６ｇとの固定箇所は、ビニールハウスの骨組みのいずれの個所であっても良い。
【００２１】
＜実証実験＞
上記に示した閉鎖型養殖施設において、養殖用プールにヒラメを入れた状態で、ビニールハウスの側方より秒速５０ｍの風を１時間当て続けた。次に、ビニールハウスの前方からも秒速５０ｍの風を１時間当て続けた。
【００２２】
その後、ビニールハウスの損傷をチェックしたが、鋼管の目立った曲がり等は無く、秒速５０ｍの風に対しても、ビニールハウスは十分な強度を持っていることを確認できた。
また、浄化槽も異状なく稼働しており、養殖用プールの水質、ヒラメの健康状態のいずれも変化はなかった。
【００２３】
＜本発明のまとめ＞
農業用の一般的なビニールハウスに使用される鋼管を用いてビニールハウスを構築した。その内部に、養殖用プールと浄化槽を配置し、配管で接続した。そして、ヒラメを養殖用プールに入れた状態で、上述の強風試験を行い、ビニールハウスがこの強風に耐える強度を有し、また、内部の養殖環境に変化がないことを確認した。
【００２４】
これは重量物である浄化槽がビニールハウスの骨組みを強固に支持し、ビニールハウスの強風に対する強度を向上させたためである。浄化槽には、浄化を行う細菌が生息するための砂利や砂、あるいは、浄化循環される大量の水が入っており、これらの全重量はほとんど不変である。浄化は止まることなく行われる必要があり、浄化槽は常に稼働状態にある。したがって、浄化槽は常にビニールハウスの支持体として機能することができる。
【００２５】
また、地震が起こった際には、低重心で大量の水が蓄えられている養殖プールは動きにくいが、高重心の浄化槽は動きやすい。このため、配管が外れて、養殖プールの浄化が行われず、水棲生物が死に至ることも考えられる。しかし、本発明においては、浄化槽がビニールハウスに固定され、ひいては、重量物である複数の浄化槽同士も固定されているので、地震時の浄化槽の動きを抑制することも可能である。
【００２６】
以上のように、本発明の閉鎖型養殖施設は、台風や地震といった自然災害に対する耐久性を有している。災害の際に施設を短時間で動かして避難する等の緊急処置は困難であり、本発明のように、災害に対する強靭性を有する施設は、実用上不可欠である。
【００２７】
海や河川が汚れ、一方、陸上においては農地等の遊休地が増加している。したがって、陸上養殖のニーズは今後一層高まることが予想され、そのための施設として、本発明は最適な一つの形態である。
【００２８】
すなわち、水質管理が容易であり、水の使用量を削減し、汚れた排水が周りの環境を汚す心配もない。
そして、廉価且つ迅速にハウスを構築できるため、遊休地の即時有効利用が可能となる。例えば、最初に水平レベル出しした接地面に浄化槽を配置し、鋼管を立てて組み立てるだけなので、極めて短時間に構築できる。水平レベルに多少の問題があったとしても、結合具（単管クランプ）の締め付け具合で調整可能である。季節ごとにビニールハウスのアレンジを変えたり、不要になった際には撤収も容易である。
さらに、台風や地震等の自然災害に強く、水温変化に対して脆弱な水棲生物でも安心して養殖することができる。
【符号の説明】
【００２９】
１ａ、１ｂ、１ｃ  養殖用プール
２ａ、２ｂ、２ｃ、２ｄ、２ｅ、２ｆ、２ｇ  浄化槽
３ａ、３ｂ、３ｃ、３ｄ、３ｅ、３ｆ、３ｇ、３ｈ  配管
４  鉛直面を構成する鋼管群
４ａ、４ｂ、４ｃ、４ｄ、４ｅ、４ｆ、４ｇ  鉛直面構成パイプ
５ａ、５ｂ、５ｃ、５ｄ、５ｅ、５ｆ、５ｇ、５ｈ  水平パイプ
６ａ、６ｂ、６ｃ、６ｄ、６ｅ、６ｆ、６ｇ、６ｈ  結合具
７  結合具
９  荷重分散用パレット
Ｇ  接地面
【図１】
2020124137.tif 000003
【図２】
2020124137.tif 000004
【図３】
2020124137.tif 000005
【手続補正書】
【提出日】平成31年2月7日(2019.2.7)
【手続補正１】
【補正対象書類名】明細書
【補正対象項目名】０００４
【補正方法】変更
【補正の内容】
【０００４】
昨今においては、水の浄化技術が進み、長期間に渡って水を交換することなく、アンモニアや硝酸濃度を低下させるシステムも提案されている。好気性細菌と嫌気性細菌を用いて、還元、脱窒を行うことで、水棲生物にとって健全な環境を維持することができる（例えば、特許文献２  図６）。
【手続補正２】
【補正対象書類名】明細書
【補正対象項目名】０００５
【補正方法】変更
【補正の内容】
【０００５】
【特許文献１】特開２０１２−１６５７２７
【特許文献２】特開２０１６−１９８０５８